(57)【要約】【課題】視野角が広く、しかも容易に製造することができる液晶表示素子を提供する。【解決手段】一対の基板のうちの第１の基板１の内面に、複数の画素電極３と、複数の画素電極３それぞれとの間に補償容量を形成し、且つ前記複数の画素電極３の周縁部との間に横電界を生成する補助電極１２とを設け、第２の基板の内面に、前記複数の画素電極３と対向させて設けられた対向電極と、前記対向電極上に複数の画素電極３の中心部にそれぞれ対応させて設けられた複数の誘電体層１８とを設け、これらの基板の内面に、それぞれが予め定めた方向１４ａ，１９ａにラビング処理された水平配向膜を設け、前記一対の基板間の間隙に正の誘電異方性を有する液晶層を封入した。【選択図】図１
2010008691.tif 000002
【特許請求の範囲】
【請求項１】
予め定めた間隙を設けて対向配置された第１と第２の一対の基板と、
前記一対の基板の互いに対向する内面のうちの前記第１の基板の内面にマトリックス状に配列させて設けられた複数の画素電極と、
前記第１の基板の内面に、前記複数の画素電極にそれぞれ対応させて設けられ、対応する画素電極にそれぞれ接続された複数の薄膜トランジスタと、
前記第１の基板の内面に設けられ、前記複数の薄膜トランジスタにそれぞれゲート信号及びデータ信号を供給する複数の走査線及び信号線と、
前記複数の画素電極よりも前記第１の基板側に、前記複数の画素電極との間に絶縁膜を介在させて設けられ、前記複数の画素電極それぞれの周縁部の略全周に対応し、且つ外周部が前記画素電極の周囲に張出す形状に形成され、前記複数の画素電極それぞれとの間に補償容量を形成し、且つ前記外周部と前記複数の画素電極の周縁部との間に、前記基板面に沿った横方向の電界を生成する補助電極と、
前記第２の基板の内面に、前記複数の画素電極と対向させて設けられた対向電極と、
前記対向電極の前記複数の画素電極と対向する面上に、前記複数の画素電極の予め定めた部分にそれぞれ対応させて設けられた複数の誘電体層と、
前記一対の基板の内面それぞれに、前記複数の画素電極及び前記対向電極と前記誘電体層を覆って設けられ、それぞれが予め定めた方向にラビング処理された水平配向膜と、
前記一対の基板間の間隙に封入された正の誘電異方性を有する液晶層と、
を備えたことを特徴とする液晶表示素子。
【請求項２】
一対の基板の内面それぞれに設けられた水平配向膜は、実質的に互いに直交する方向にラビング処理され、液晶層の液晶分子は、前記一対の基板間において実質的に９０°のツイスト角でツイスト配向していることを特徴とする請求項１に記載の液晶表示素子。
【請求項３】
対向電極上の誘電体層は、直径が１０〜３０μｍ、厚さが１〜２μｍの円形膜状に形成されていることを特徴とする請求項１に記載の液晶表示素子。
【請求項４】
対向電極上の誘電体層は、画素電極の周縁部のうちの第１の基板の内面の配向膜のラビング方向の上流側の縁部と、前記ラビング方向の下流側の縁部との中間付近に対応させて設けられていることを特徴とする請求項１〜３のいずれかに記載の液晶表示素子。
【請求項５】
複数の画素電極はそれぞれ、実質的に正方形状に形成されており、対向電極上の誘電体層は、前記複数の画素電極の中心部にそれぞれ対応させて設けられていることを特徴とする請求項４に記載の液晶表示素子。
【請求項６】
複数の画素電極はそれぞれ、互いに直交する２つの方向のうちの一方の方向の幅が他方の方向の幅の実質的に整数倍の長方形状で、且つ前記他方の方向と平行に設けられたスリットにより実質的に正方形状の複数の電極部に区分された形状に形成されており、補助電極は、前記画素電極の前記複数の電極部の周縁部にそれぞれ対応させて設けられ、対向電極上の誘電体層は、前記画素電極の前記複数の電極部の中心部にそれぞれ対応させて設けられていることを特徴とする請求項４に記載の液晶表示素子。
【発明の詳細な説明】
【技術分野】
【０００１】
この発明は、水平配向膜と、正の誘電異方性を有する液晶層を備えた液晶表示素子に関する。
【背景技術】
【０００２】
正の誘電異方性を有する液晶層を備えた液晶表示素子は、予め定めた間隙を設けて対向配置された一対の基板の互いに対向する内面それぞれに、互いに対向する領域により複数の画素を形成する電極と、前記電極を覆って形成され、それぞれが予め定めた方向にラビング処理された水平配向膜とが設けられ、前記一対の基板間の間隙に前記液晶層を封入された構成となっている。
【０００３】
この種の液晶表示素子は、表示の視野角を広くすることが望まれている。そのために、従来は、複数の画素毎に、一方の基板の配向膜に断面が三角形状の凸部を形成して、この配向膜をラビングすることにより、液晶分子が第１のプレチルト角度で配向した第１液晶領域と、プレチルト角度が前記第１のプレチルト角とは逆の傾きの第２のプレチルト角度で液晶分子を配向させた第２液晶領域とを形成し、視野角特性を改善している（特許文献１参照）。
【特許文献１】特開平７−３３３６１２号公報
【発明の開示】
【発明が解決しようとする課題】
【０００４】
しかし、上記従来の液晶表示素子は、一対の基板の内面それぞれに設けられる配向膜に断面が三角形状の凸部をテーパーエッチングにより形成しなければならないため、製造が難しい。
【０００５】
この発明は、視野角が広く、しかも容易に製造することができる液晶表示素子を提供することを目的としたものである。
【課題を解決するための手段】
【０００６】
この発明の請求項１に記載の液晶表示素子は、
予め定めた間隙を設けて対向配置された第１と第２の一対の基板と、
前記一対の基板の互いに対向する内面のうちの前記第１の基板の内面にマトリックス状に配列させて設けられた複数の画素電極と、
前記第１の基板の内面に、前記複数の画素電極にそれぞれ対応させて設けられ、対応する画素電極にそれぞれ接続された複数の薄膜トランジスタと、
前記第１の基板の内面に設けられ、前記複数の薄膜トランジスタにそれぞれゲート信号及びデータ信号を供給する複数の走査線及び信号線と、
前記複数の画素電極よりも前記第１の基板側に、前記複数の画素電極との間に絶縁膜を介在させて設けられ、前記複数の画素電極それぞれの周縁部の略全周に対応し、且つ外周部が前記画素電極の周囲に張出す形状に形成され、前記複数の画素電極それぞれとの間に補償容量を形成し、且つ前記外周部と前記複数の画素電極の周縁部との間に、前記基板面に沿った横方向の電界を生成する補助電極と、
前記第２の基板の内面に、前記複数の画素電極と対向させて設けられた対向電極と、
前記対向電極の前記複数の画素電極と対向する面上に、前記複数の画素電極の予め定めた部分にそれぞれ対応させて設けられた複数の誘電体層と、
前記一対の基板の内面それぞれに、前記複数の画素電極及び前記対向電極と前記誘電体層を覆って設けられ、それぞれが予め定めた方向にラビング処理された水平配向膜と、
前記一対の基板間の間隙に封入された正の誘電異方性を有する液晶層と、
を備えたことを特徴とする。
【０００７】
請求項２に記載の発明は、前記請求項１に記載の液晶表示素子において、前記一対の基板の内面それぞれに設けられた水平配向膜は、実質的に互いに直交する方向にラビング処理され、前記液晶層の液晶分子は、前記一対の基板間において実質的に９０°のツイスト角でツイスト配向していることを特徴とする。
【０００８】
請求項３に記載の発明は、前記請求項１に記載の液晶表示素子において、前記対向電極上の誘電体層は、直径が１０〜３０μｍ、厚さが１〜２μｍの円形膜状に形成されていることを特徴とする。
【０００９】
請求項４に記載の発明は、前記請求項１〜３のいずれかに記載の液晶表示素子において、前記対向電極上の誘電体層は、前記画素電極の周縁部のうちの第１の基板の内面の配向膜のラビング方向の上流側の縁部と、前記ラビング方向の下流側の縁部との中間付近の部分に対応させて設けられていることを特徴とする請求項１〜３のいずれかに記載の液晶表示素子。
【００１０】
請求項５に記載の発明は、前記請求項４に記載の液晶表示素子において、前記複数の画素電極はそれぞれ、実質的に正方形状に形成されており、前記対向電極上の誘電体層は、前記複数の画素電極の中心部にそれぞれ対応させて設けられていることを特徴とする。
【００１１】
請求項６に記載の発明は、前記請求項４に記載の液晶表示素子において、前記複数の画素電極はそれぞれ、互いに直交する２つの方向のうちの一方の方向の幅が他方の方向の幅の実質的に整数倍の長方形状で、且つ前記他方の方向と平行に設けられたスリットにより実質的に正方形状の複数の電極部に区分された形状に形成されており、前記補助電極は、前記画素電極の前記複数の電極部の周縁部にそれぞれ対応させて設けられ、前記対向電極上の誘電体層は、前記画素電極の前記複数の電極部の中心部にそれぞれ対応させて設けられていることを特徴とする。
【発明の効果】
【００１２】
この発明の液晶表示素子は、上記のような構成であるため、視野角が広く、しかも容易に製造することができる。
【発明を実施するための最良の形態】
【００１３】
（第１の実施例）
図１〜図１０はこの発明の第１の実施例を示しており、図１は液晶表示素子の第１の基板の一部分の平面図、図２及び図３は図１のII−II線及びIII−III線に沿う前記液晶表示素子の拡大断面図である。
【００１４】
この液晶表示素子は、薄膜トランジスタ（以下、ＴＦＴと記す）をアクティブ素子としたアクティブマトリックス液晶表示素子であり、図１〜図３のように、予め定めた間隙を設けて対向配置された第１と第２の一対の透明基板１，２と、前記一対の基板１，２の互いに対向する内面のうちの第１の基板、例えば観察側（図２及び図３において上側）とは反対側の基板（以下、後基板という）１の内面に行方向及び列方向にマトリックス状に配列させて設けられた複数の透明な画素電極３と、前記後基板１の内面に、前記複数の画素電極３にそれぞれ対応させてその近傍に設けられ、対応する画素電極３にそれぞれ接続された複数のＴＦＴ４と、前記後基板１の内面に設けられ、前記複数のＴＦＴ４にそれぞれゲート信号及びデータ信号を供給する複数の走査線１０及び信号線１１と、第２の基板、つまり観察側の基板（以下、前基板という）２内面に、前記複数の画素電極３と対向させて設けられた一枚膜状の透明な対向電極１５と、前記一対の基板１，２間の間隙に封入された正の誘電異方性を有する液晶層２０と、前記後基板１の外面と前記前基板２の外面とにそれぞれ配置された後偏光板２１及び前偏光板２２とを備えている。
【００１５】
前記ＴＦＴ４は、前記後基板１上に形成されたゲート電極５と、前記ゲート電極５を覆って前記画素電極３の配列領域全体にわたって形成された透明なゲート絶縁膜６と、前記ゲート絶縁膜６の上に前記ゲート電極５と対向させて形成されたｉ型半導体膜７と、前記ｉ型半導体膜７の一側部と他側部の上に図示しないｎ型半導体膜を介して形成されたドレイン電極８及びソース電極９とからなっている。
【００１６】
そして、前記複数の走査線１０は、前記後基板１上に、行方向に配列した複数の画素電極３からなる各画素電極行にそれぞれ対応させてこれらの行の一側に設けられ、各行の複数のＴＦＴ４のゲート電極５に接続されており、前記複数の信号線１１は、前記ゲート絶縁膜６の上に、列方向に配列した複数の画素電極３からなる各画素電極列にそれぞれ対応させてこれらの列の一側に設けられ、各列の複数のＴＦＴ４のドレイン電極８に接続されている。
【００１７】
また、前記複数の画素電極３は、前記ゲート絶縁膜６の上に形成されており、これらの画素電極３にそれぞれ、その画素電極３に対応するＴＦＴ４のソース電極９が接続されている。この実施例において、前記複数の画素電極３はそれぞれ、互いに直交する２つの方向つまり、画面の左右方向と平行な方向の横幅と、前記画面の上下方向と平行な方向の縦幅とがそれぞれ１００〜３００μｍの正方形状に形成されている。
【００１８】
さらに、この液晶表示素子は、前記複数の画素電極３よりも前記後基板１側に、前記複数の画素電極３との間に前記ゲート絶縁膜６を介在させて設けられ、前記複数の画素電極３それぞれの周縁部の略全周に対応し、且つ外周部が前記画素電極３の周囲に張出す形状に形成され、前記複数の画素電極３それぞれとの間に補償容量を形成し、且つ前記外周部と前記複数の画素電極３の周縁部との間に、前記基板１面に沿った横方向の電界を生成する透明な補助電極１２を備えている。なお、図１では、前記補助電極１２に対応する部分に平行斜線を施している。
【００１９】
前記補助電極１２は、前記後基板１上に、前記複数の画素電極３それぞれの周縁部のうちの前記ＴＦＴ４の接続部以外の部分の略全周に対応させて枠形状に形成されており、前記複数の走査線１０及び信号線１１は、前記画素電極３に対して、前記補助電極１２よりも外側の位置に設けられている。
【００２０】
なお、前記補助電極１２の４つの辺部はそれぞれ４〜６μｍの幅に形成されており、これらの辺部の中央よりも内側の２〜３μｍの幅の領域が、前記ゲート絶縁膜６を介して前記画素電極３の周縁部に対向し、前記中央よりも外側の２〜３μｍの幅の領域が、前記画素電極３の周囲に張出している。
【００２１】
前記複数の画素電極３の周縁部にそれぞれ対応する前記補助電極１２は、各行毎に、互いに連続させて形成されており、さらに、これらの各行の一端または両端において共通接続されている（図示せず）。そして、前記補助電極１２には、前記対向電極１５と同電位の電圧が印加され、前記画素電極３の周縁部との間に、横電界が生成される。
【００２２】
また、前記後基板１の内面には、前記複数のＴＦＴ４及び複数の信号線１１を覆ってオーバーコート絶縁膜１３が設けられ、さらに前記画素電極３の配列領域全体に、前記複数の画素電極３を覆って水平配向膜１４が設けられている。
【００２３】
一方、前記前基板２の内面には、マトリックス状に配列された前記複数の画素電極３の間の領域に対応させて形成された遮光膜（ブラックマスク）１６と、前記複数の画素電極３にそれぞれ対応させて形成された赤、緑、青の３色のカラーフィルタ１７Ｒ，１７Ｇ，１７Ｂとが設けられており、前記対向電極１５は、前記カラーフィルタ１７Ｒ，１７Ｇ，１７Ｂの前記後基板１に対向する面上に形成されている。
【００２４】
さらにまた、この液晶表示素子は、前記対向電極１５の前記複数の画素電極３と対向する面上に、前記複数の画素電極３の予め定めた部分にそれぞれ対応させて設けられた複数の誘電体層１８を備えている。
【００２５】
この誘電体層１８は、横幅と縦幅とがそれぞれ１００〜３００μｍの正方形状に形成された前記複数の画素電極３の中心部にそれぞれ対応させて、直径が１０〜３０μｍ、厚さが１〜２μｍの円形膜状に形成されている。
【００２６】
また、前記前基板２の内面には、前記複数の画素電極３の配列領域に対応する領域全体に、前記対向電極１５及び前記複数の誘電体層１８を覆って水平配向膜１９が設けられている。
【００２７】
そして、前記一対の基板１，２は、前記複数の画素電極３の配列領域を囲む枠状のシール材（図示せず）を介して接合されており、これらの基板１，２間の間隙の前記シール材で囲まれた領域に、誘電異方性が正のネマティック液晶からなる液晶層２０が封入されている。
【００２８】
なお、前記後基板１には、その１つまたは互いに直交する２つの側縁に、前記前基板２の外方に張出すドライバ搭載部（図示せず）が形成されており、前記複数の走査線１０及び信号線１１は、前記ドライバ搭載部に搭載されたドライバ素子の複数のゲート信号出力端子及びデータ信号出力端子にそれぞれ接続され、前記各行の複数の補助電極１２の共通接続部は、前記ドライバ素子の対向電極信号出力端子に接続され、前記対向電極１５は、前記枠状のシール材による基板接合部に設けられたクロス接続部を介して前記ドライバ素子の前記対向電極信号出力端子に接続されている。
【００２９】
この実施例の液晶表示素子は、ＴＮ（ツィステッドネマティック）型素子であり、前記一対の基板１，２の内面それぞれに設けられた前記水平配向膜１４，１９は、実質的に互いに直交する方向にラビング処理されている。なお、これらの配向膜１４，１９はそれぞれ、液晶分子２０ａを０．５°程度の極く小さいプレチルト角で配向させる配向特性を有している。
【００３０】
図１において、鎖線矢印１４ａ，１９ａは前記配向膜１４，１９のラビング方向を示しており、この実施例では、後基板１の配向膜１４を、画面の左右方向に対して観察側から見て右回り方向に実質的に４５°の角度で交差する方向に、前記画面の斜め左上方向から斜め右下方向に向かってラビング処理し、前基板２の配向膜１９を、前記画面の左右方向に対して観察側から見て左回り方向に実質的に４５°の角度で交差する方向に、前記画面の斜め左下方向から斜め右上方向に向かってラビング処理している。
【００３１】
そして、前記液晶層２０の液晶分子２０ａは、前記一対の基板１，２それぞれの近傍において、前記配向膜１４，１９のラビング方向１４ａ，１９ａに分子長軸を向け、且つ前記ラビング方向１４ａ，１９ａの上流側（ラビングの開始端側）から下流側（ラビングの終了端側）に向かって前記配向膜１４，１９の膜面から離れる方向に前記２°以下の角度でプレチルトした状態で、前記一対の基板１，２間において、図１に破線矢印で示したツイスト方向に実質的に９０°のツイスト角でツイスト配向している。
【００３２】
また、前記後偏光板２１は、その吸収軸（図示せず）を前記後基板１の配向膜１４のラビング方向１４ａと実質的に平行にするか、或いは実質的に直交させて配置され、前記前偏光板２２は、その吸収軸（図示せず）を前記後偏光板２１の吸収軸と実質的に直交させるか、或いは実質的に平行にして配置されている。
【００３３】
この液晶表示素子は、上記のような構成であるため、前記画素電極３と対向電極１５との間への電界の印加により、前記複数の画素電極３と前記対向電極１５とが互いに対向する領域からなる複数の画素３０毎に、液晶分子２０ａのチルト方向が互いに異なる２つの領域を形成し、表示の視野角を広くすることができる。
【００３４】
すなわち、前記液晶表示素子はＴＮ型素子であり、液晶層２０の液晶分子２０ａは、前記画素電極３と対向電極１５との間に電界を印加しない無電界時は、一対の基板１，２の内面の配向膜１４，１９の膜面に対して、これらの配向膜１４，１９のラビング方向１４ａ，１９ａの上流側から下流側に向かってプレチルトした状態でツイスト配向しており、前記電極３，１５間への電界の印加によって、前記ツイスト配向状態から基板１，２面に対して立ち上がり配向する。
【００３５】
図４は前記液晶表示素子における電界の印加による液晶分子２０ａの立ち上がり配向を示す模式図であり、図において、破線矢印Ｅ１は、画素電極３と対向電極１５との間に印加された電界を示している。
【００３６】
また、前記液晶表示素子は、前記対向電極１５と同じ電位に接続された前記補助電極１２を備えているため、前記画素電極３と対向電極１５との間に電界Ｅ１を印加したときに、図４のように、前記補助電極１２の外周部と前記画素電極３の周縁部との間に、前記画素電極３と対向電極１５との間に印加された電界Ｅ１と実質的に同じ強さの横電界（後基板１面に沿った横方向の電界）Ｅ２が生成し、前記画素電極３の周縁部付近の液晶分子２０ａが、前記横電界Ｅ２の方向に沿ってチルトする。
【００３７】
前記横電界Ｅ２は、前記画素電極３の各縁部からそれぞれ前記補助電極１２の対応する辺部に向かう方向の電界であり、したがって、前記画素電極３の各縁部に対応する領域に生成する横電界Ｅ２はそれぞれ、その縁部とは反対側の縁部に対応する領域に生成する横電界Ｅ２の向きに対して逆向きの電界であるため、前記横電界Ｅ２による液晶分子２０ａのチルトの傾きは、前記画素電極３の左右方向の一方の縁部に対応する領域と他方の縁部に対応する領域とで互いに逆向きであり、また、前記画素電極３の縦幅方向（画面の上下方向）の一方の縁部に対応する領域と他方の縁部に対応する領域とで互いに逆向きである。
【００３８】
そして、この液晶表示素子は、前記後基板１の内面の配向膜１４を、画面の左右方向に対して観察側から見て右回り方向に実質的に４５°の角度で交差する方向に、前記画面の斜め左上方向から斜め右下方向に向かってラビング処理しているため、前記画素電極３の右側及び下側の縁部に対応する領域の前記横電界Ｅ２によって液晶分子２０ａがチルトさせられる傾きは、前記後基板１の内面の配向膜１４のラビング方向１４ａにより得られるプレチルトの傾きと同じ傾き（以下、順傾斜という）であり、前記画素電極３の左側及び上側の縁部に対応する領域の前記横電界Ｅ２によって液晶分子２０ａがチルトさせられる傾きは、前記配向膜１４のラビング方向１４ａにより得られるプレチルトの方向と逆の傾き(以下、逆傾斜という）である。
【００３９】
さらに、この液晶表示素子は、前基板２の内面に設けられた対向電極１５の前記複数の画素電極３と対向する面上に、前記複数の画素電極３の予め定めた部分にそれぞれ対応させて複数の誘電体層１８を設けているため、前記画素電極３と対向電極１５との間の電界Ｅ１は、前記誘電体層１８に対応する領域の電界が、前記誘電体層１８での電圧降下により、図４のように、前記画素電極３の前記誘電体層１８の中心に対応する部分から前記誘電体層１８の周囲に向かって放射状に広がるように歪み、この歪んだ電界により、前記誘電体層１８に対応する領域の液晶分子２０ａが、前記誘電体層１８に対応する部分から外側に向かってチルトする。
【００４０】
つまり、前記誘電体層１８の周辺の領域の液晶分子２０ａは、前記誘電体層１８を境にして、前記後基板１の内面の配向膜１４のラビング方向１４ａの下流側では、前記ラビング方向１４ａに対応した順傾斜でチルトし、前記ラビング方向１４ａの上流側では前記ラビング方向１４ａに対して逆傾斜でチルトする。
【００４１】
そして、前記画素３０内の他の領域の液晶分子２０ａは、前記画素３０の周縁部及び前記誘電体層１８の周辺の領域の液晶分子２０ａの相互の分子間力による影響を受けて配向するため、前記画素電極３と対向電極１５との間に電界Ｅ１を印加すると、前記画素３０内の液晶分子２０ａが、前記後基板１の内面の配向膜１４のラビング方向１４ａに対して略直交し、且つ前記誘電体層１８の位置を通る線を境にして、前記ラビング方向１４ａの下流側（画素３０の右側及び下側）の領域において前記順傾斜でチルトし、前記ラビング方向１４ａの上流側（画素３０の左側及び上側）の領域において前記逆傾斜でチルトする。
【００４２】
図５は前記液晶表示素子における電界の印加による液晶分子２０ａの立ち上がり配向を示す斜視図であり、図５（ａ）は、液晶分子２０ａが前記順傾斜にチルトした領域の立ち上がり配向、図５（ｂ）は、液晶分子２０ａが前記逆傾斜にチルトした領域の立ち上がり配向状態を示している。
【００４３】
このように、前記液晶表示素子によれば、前記複数の画素３０毎に、前記画素電極３と対向電極１５との間への電界Ｅ１の印加により、液晶分子２０ａが前記順傾斜でチルトした状態で立ち上がり配向する領域(順チルト領域)と、液晶分子２０ａが前記逆傾斜でチルトした状態で立ち上がり配向する領域(逆チルト領域)とを形成し、これらのチルト方向が異なる２つの領域それぞれの視野角特性が相乗した広い視野角を得ることができる。
【００４４】
また、前記液晶表示素子は、前記複数の画素電極３をそれぞれ、実質的に正方形状に形成し、前記対向電極１５上の誘電体層１８を、前記複数の画素電極３の中心部、すなわち、前記画素電極３の周縁部のうちの前記後基板１の内面の配向膜１４のラビング方向１４ａの上流側、つまり左側及び上側の縁部と、前記ラビング方向１４ａの下流側、つまり右側及び下側の縁部との中間付近の部分にそれぞれ対応させて設けているため、前記順チルト領域と、前記逆傾斜チルト領域との面積を略同じにし、これらの２つの領域それぞれの視野角特性がバランス良く相乗した広い視野角を得ることができる。
【００４５】
図６は、前記画素電極３を実質的に正方形状に形成し、前記誘電体層１８を前記画素電極３の中心部に対応させて設け、さらに前記後基板１の内面の配向膜１４を、画面の左右方向に対して観察側から見て右回り方向に実質的に４５°の角度の方向１４ａにラビング処理したときの１つの画素３０における液晶分子２０ａの順チルト領域と逆チルト領域を示しており、この例では、前記画素３０の前記配向膜１４のラビング方向１４ａと略直交する方向の対角線付近を境界３１にして、前記配向膜１４のラビング方向１４ａの下流側、つまり前記画素３０の斜め右下の三角形状の領域３０ａの液晶分子２０ａが順チルトし、前記配向膜１４のラビング方向１４ａの上流側、つまり前記画素３０の斜め左上の三角形状の領域３０ｂの液晶分子２０ａが逆チルトする。
【００４６】
図７〜図１０は、液晶分子が画素全体において順方向にチルトする比較例の液晶表示素子と、上記実施例の液晶表示素子との視角−輝度特性図であり、図７は６時−１２時方向（画面の上下方向）の特性、図８は９時−３時方向（画面の左右方向）の特性、図９は７時半−１時半方向（画面の左右方向に対して左回りに４５°の方向）の特性、図１０は４時半−１０時半方向（画面の左右方向に対して右回りに４５°の方向）の特性を示している。これらの視角−輝度特性は、複数の画素の電極間に０〜８の階調値の電界を印加したときの視角−輝度特性であり、各図において、Ｌ１は階調値が０の電界を印加したときの特性、Ｌ２は階調値が２の電界を印加したときの特性、Ｌ４は階調値が４の電界を印加したときの特性、Ｌ６は階調値が６の電界を印加したときの特性、Ｌ８は階調値が８の電界を印加したときの特性である。
【００４７】
図７（ａ）、図８（ａ）、図９（ａ）及び図１０（ａ）のように、液晶分子が画素全体において順チルトする比較例の液晶表示素子は、９時−３時方向の視角−輝度特性が、画面の法線方向（０°の視角方向）を中心として左右略対称で、且つ十分なコントラストの表示を観察できる視角範囲が十分に広い特性であるが、６時−１２時方向、７時半−１時半方向、及び４時半−１０時半方向の視角−輝度特性は、左右非対称で、左右いずれか一方の方向の視角範囲が狭い。
【００４８】
この比較例に対して、上記実施例の液晶表示素子は、図７（ｂ）、図８（ｂ）、図９（ｂ）及び図１０（ｂ）のように、６時−１２時方向、９時−３時方向、７時半−１時半方向、及び４時半−１０時半方向の視角−輝度特性がいずれも、画面の法線方向を中心として左右略対称で、且つ十分なコントラストの表示を観察できる視角範囲が十分に広い特性である。
【００４９】
また、上記液晶表示素子は、前記複数の画素電極３との間にゲート絶縁膜を介在させて、前記複数の画素電極３それぞれとの間に補償容量を形成し、且つ前記複数の画素電極３の周縁部との間に横電界Ｅ２を生成する補助電極１２を設け、前記対向電極１５の複数の画素電極３と対向する面上に、前記複数の画素電極３の予め定めた部分にそれぞれ対応させて前記誘電体層１８を設けることにより、前記画素電極３と対向電極１５との間に電界を印加したときに、前記画素３０内に、液晶分子２０ａが順チルトする順チルト領域と、液晶分子２０ａが逆チルトする逆チルト領域とが形成されるようにしたものであるため、特許文献１に記載された従来の液晶表示素子に比べて容易に製造することができる。
【００５０】
なお、上記実施例では、複数の画素電極３をそれぞれ実質的に正方形状に形成しているが、前記複数の画素電極３は、長方形状に形成してもよく、その場合も、前記対向電極１５上の誘電体層１８を、前記画素電極３の周縁部のうちの前記後基板１の内面の配向膜１４のラビング方向１４ａの上流側の縁部と、前記ラビング方向１４ａの下流側の縁部との中間付近の部分に対応させて設けることにより、前記順チルト領域の視野角特性と、前記逆チルト領域の視野角特性とがバランス良く相乗した広い視野角を得ることができる。
【００５１】
（第２の実施例）
図１１はこの発明の第２の実施例を示す液晶表示素子の第１の基板の一部分の平面図である。なお、この実施例において、上述した第１の実施例に対応するものには同符号を付し、同一のものについてはその説明を省略する。
【００５２】
この実施例の液晶表示素子においては、後基板１の内面に、互いに直交する２つの方向のうちの一方の方向、例えば画面の上下方向と平行な方向の縦幅が、前記画面の左右方向と平行な横幅の実質的に整数倍、例えば実質的に３倍の長方形状で、且つ前記画面の左右方向と平行に設けられた２本のスリット４０により実質的に正方形状の複数、つまり３つの電極部４０ａ，４０ｂ，４０ｃに区分された形状に形成された複数の画素電極４０を設け、前記複数の画素電極４０よりも前記後基板１側に、前記複数の画素電極４０との間にＴＦＴ４のゲート絶縁膜６を介在させて、前記画素電極４０の前記複数の電極部４０ａ，４０ｂ，４０ｃの周縁部にそれぞれ対応する実質的に「目」の字形状に形成され、前記複数の画素電極４０それぞれとの間に補償容量を形成し、且つ前記複数の画素電極４０の周縁部との間に横電界を生成する補助電極４２を設け、前基板２の内面に設けられた対向電極１５（図１〜図３参照）の前記複数の画素電極４０と対向する面上に、前記画素電極４０の前記複数の電極部４０ａ，４０ｂ，４０ｃの中心部、すなわち、前記複数の電極部４０ａ，４０ｂ，４０ｃそれぞれの周縁部のうちの後基板１の内面の配向膜１４のラビング方向１４ａの上流側（左側及び上側）の縁部と、前記ラビング方向１４ａの下流側（右側及び下側の）縁部との中間付近の部分にそれぞれ対応させて誘電体層１８を設けている。
【００５３】
なお、この実施例において、前記画素電極４０は、前記３つの電極部４０ａ，４０ｂ，４０ｃをそれぞれ約１００μｍ×１００μｍの大きさの正方形状に形成したものであり、前記画素電極４０を各電極部４０ａ，４０ｂ，４０ｃに区分するスリット４０は、画素電極４０の一側縁よりも３μｍ程度内側の部分から前記画素電極４０の他側縁にわたって約３μｍの幅に形成されている。
【００５４】
また、前記補助電極４２の前記画素電極４０の外周縁に対応する４つの辺部はそれぞれ４〜６μｍの幅に形成され、前記２本のスリット４０にそれぞれ対応する部分は６〜１０μｍの幅に形成されており、前記４つの辺部の内側の縁部及び前記スリット４０に対応する部分の両側縁部がそれぞれ前記各電極部４０ａ，４０ｂ，４０ｃの周縁部に２〜３μｍの幅で対向し、前記４つの辺部の外側の縁部及び前記スリット４０内に対応する部分がそれぞれ前記各電極部４０ａ，４０ｂ，４０ｃの周囲に張出している。
【００５５】
さらに、前記画素電極４０の各電極部４０ａ，４０ｂ，４０ｃの中心部にそれぞれ対応する誘電体層１８はそれぞれ、直径が１０〜３０μｍ、厚さが１〜２μｍの円形膜状に形成されている。
【００５６】
この第２の実施例の液晶表示素子は、上記のような構成であるため、前記画素電極４０と対向電極１５との間への電界の印加により、前記画素電極４０と対向電極１５とが互いに対向する領域からなる画素の前記画素電極４０の３つの電極部４０ａ，４０ｂ，４０ｃにそれぞれ対応する正方形状の領域毎に、前記後基板１の内面の配向膜１４のラビング方向１４ａに対応した順傾斜で液晶分子がチルトする領域(逆チルト領域)と、前記配向膜１４のラビング方向１４ａに対して逆傾斜で液晶分子がチルトする領域(順チルト領域)とを形成することができる。
【００５７】
すなわち、図１２は、前記第２の実施例の液晶表示素子の前記後基板１の内面の配向膜１４を画面の左右方向に対して観察側から見て右回り方向に実質的に４５°の角度の方向１４ａにラビング処理したときの１つの画素５０における液晶分子の順チルト領域と逆チルト領域を示しており、この例では、前記画素５０の前記画素電極４０の３つの電極部４０ａ，４０ｂ，４０ｃにそれぞれ対応する正方形状領域５１，５２，５３毎に、前記配向膜１４のラビング方向１４ａと略直交する方向の対角線付近を境界５４，５５，５６にして、前記配向膜１４のラビング方向１４ａの下流側、つまり前記各正方形状領域５１，５２，５３の斜め右下の三角形状の領域５１ａ，５２ａ，５３ａの液晶分子が順チルトし、前記配向膜１４のラビング方向１４ａの上流側、つまり前記各正方形状領域５１，５２，５３の斜め左上の三角形状の領域５１ｂ，５２ｂ，５３ｂの液晶分子が逆チルトする。
【００５８】
したがって、前記第２の実施例の液晶表示素子によれば、視野角を広くすることができ、しかも、特許文献１に記載された従来の液晶表示素子に比べて容易に製造することができる。
【００５９】
なお、上記第２の実施例では、前記画素電極４０の各電極部４０ａ，４０ｂ，４０ｃをそれぞれ実質的に正方形状に形成しているが、これらの電極部４０ａ，４０ｂ，４０ｃは長方形状に形成してもよく、その場合も、前記対向電極１５上の誘電体層１８を、前記各電極部４０ａ，４０ｂ，４０ｃそれぞれの周縁部のうちの前記後基板１の内面の配向膜１４のラビング方向１４ａの上流側の縁部と、前記ラビング方向１４ａの下流側の縁部との中間付近の部分に対応させて設けることにより、液晶分子が順傾斜でチルトする順チルト領域の視野角特性と、液晶分子が逆傾斜でチルトする逆チルト領域の視野角特性とがバランス良く相乗した広い視野角を得ることができる。
【００６０】
また、上記第２の実施例では、画素電極４０を３つの電極部４０ａ，４０ｂ，４０ｃに区分された形状に形成しているが、前記画素電極４０は、２つまたは４つ以上の電極部に区分された形状に形成してもよい。
【図面の簡単な説明】
【００６１】
【図１】この発明の第１の実施例を示す液晶表示素子の第１の基板の一部分の平面図。
【図２】図１のII−II線に沿う前記液晶表示素子の拡大断面図。
【図３】図１のIII−III線に沿う前記液晶表示素子の拡大断面図。
【図４】前記液晶表示素子における電界の印加による液晶分子の立ち上がり配向を示す模式図。
【図５】前記液晶表示素子における電界の印加による液晶分子の立ち上がり配向を示す斜視図。
【図６】前記液晶表示素子の１つの画素における液晶分子の順チルト領域と逆チルト領域を示す図。
【図７】液晶分子が画素全体において順チルトする比較例の液晶表示素子と、第１の実施例の液晶表示素子との６時−１２時方向の視角−輝度特性図。
【図８】前記比較例の液晶表示素子と、第１の実施例の液晶表示素子との９時−３時方向の視角−輝度特性図。
【図９】前記比較例の液晶表示素子と、第１の実施例の液晶表示素子との７時半−１時半方向の視角−輝度特性図。
【図１０】前記比較例の液晶表示素子と、第１の実施例の液晶表示素子との４時半−１０時半方向の視角−輝度特性図。
【図１１】この発明の第２の実施例を示す液晶表示素子の第１の基板の一部分の平面図。
【図１２】第２の実施例の液晶表示素子の１つの画素における液晶分子の順チルト領域と逆チルト領域を示す図。
【符号の説明】
【００６２】
１，２…基板、３，４０…画素電極、４０ａ，４０ｂ，４０ｃ…電極部、４１…スリット、４…ＴＦＴ、１０…走査線、１１…信号線、１２，４２…補助電極、１４，１９…配向膜、１４ａ，１９ａ…ラビング方向、１５…対向電極、１６…遮光膜、１７Ｒ，１７Ｇ，１７Ｂ…カラーフィルタ、１８…誘電体層、２０…液晶層、２０ａ…液晶分子、２１，２２…偏光板、３０，５０…画素、５１，５２，５３…正方形状領域、Ｅ１，Ｅ２…電界、３０ａ，５１ａ，５２ａ．５３ａ…順チルト領域、３０ｂ，５１ｂ，５２ｂ．５３ｂ…逆チルト領域。
【図１】
2010008691.tif 000003
【図２】
2010008691.tif 000004
【図３】
2010008691.tif 000005
【図４】
2010008691.tif 000006
【図５】
2010008691.tif 000007
【図６】
2010008691.tif 000008
【図７】
2010008691.tif 000009
【図８】
2010008691.tif 000010
【図９】
2010008691.tif 000011
【図１０】
2010008691.tif 000012
【図１１】
2010008691.tif 000013
【図１２】
2010008691.tif 000014